(57)【要約】【課題】調剤薬局において処方箋の受付から患者への投薬に係る業務処理を記録できるようにする。【解決手段】調剤薬局システム１００は、端末側で入力された処方箋のデータごとにホストコンピュータ１０で投薬情報が生成されて、その生成された処方箋のデータごとの投薬情報をホストコンピュータ１０に記憶するシステムであって、ＩＣタグリーダ２０ａ、３０ａ、４０ａで調剤を行う際に用いられる薬剤トレイに予め付せられた識別情報を取得し、撮影装置２０ｂ、４０ｂでその識別情報を取得した薬剤トレイを撮影して、その撮影画像と識別情報とを投薬情報に対応付けてホストコンピュータ１０に記憶する。【選択図】図１
2008065596.tif 000002
【特許請求の範囲】
【請求項１】
処方箋のデータを入力する処方箋情報入力手段と、前記入力された処方箋のデータごとに当該処方箋データに基づく投薬情報を生成する投薬情報生成手段と、前記生成された処方箋のデータごとの投薬情報を記憶する記憶手段とを備えた調剤薬局システムであって、
前記投薬情報に基づいた調剤を行う際に用いられる薬剤トレイに予め付せられた識別情報を取得する薬剤トレイ情報取得手段と、
前記識別情報を取得した薬剤トレイの画像を撮影する撮影手段と、
前記取得された薬剤トレイの識別情報及び当該識別情報を取得した薬剤トレイの撮影画像を前記投薬情報に対応付けて記憶するトレイ情報記憶手段と、
を備えることを特徴とする調剤薬局システム。
【請求項２】
現在時刻を取得する計時手段を更に備え、
前記トレイ情報記憶手段は、前記薬剤トレイの撮影画像を前記投薬情報に対応付けて記憶する際に、前記取得された現在時刻を前記投薬情報に対応付けて記憶することを特徴とする請求項１に記載の調剤薬局システム。
【請求項３】
前記調剤を行う際に用いられる薬剤トレイ上に薬剤が載置された状態での重量を計測する電子秤を更に備え、
前記トレイ情報記憶手段は、前記取得された重量を前記投薬情報に対応付けて記憶することを特徴とする請求項１又は２に記載の調剤薬局システム。
【請求項４】
予め利用者ごとに設定された利用者識別情報を入力する利用者識別情報入力手段を更に備え、
前記トレイ情報記憶手段は、前記薬剤トレイの撮影画像を前記投薬情報に対応付けて記憶する際に、前記入力された利用者識別情報を前記投薬情報に対応付けて記憶することを特徴とする請求項１〜３のいずれか一項に記載の調剤薬局システム。
【請求項５】
前記投薬情報を指定する投薬情報指定手段と、
前記指定された投薬情報に対応付けて記憶された薬剤トレイの撮影画像を表示する表示手段と、
を更に備えることを特徴とする請求項１〜４のいずれか一項に記載の調剤薬局システム。
【請求項６】
前記投薬情報指定手段は、
前記薬剤トレイ情報取得手段で取得された薬剤トレイの識別情報に基づいて、当該識別情報に対応付けて記憶された投薬情報を指定することを特徴とする請求項５に記載の調剤薬局システム。
【発明の詳細な説明】
【技術分野】
【０００１】
本発明は、調剤薬局システムに関する。
【背景技術】
【０００２】
従来、医師からの処方箋を元に調剤する調剤薬局では、患者からの処方箋を受付て調剤し、その調剤した薬品を患者に手渡して会計を行うまでの業務処理を受付端末やデータを管理するホストコンピュータなどによる調剤薬局システムで行っている。
【０００３】
具体的に調剤薬局では、患者からの処方箋を受け付けた際にその処方箋にかかれた氏名・生年月日などを受付端末で入力し、薬袋に氏名を印刷して、備え付けの薬剤トレイに処方箋と薬袋を載せて調剤担当の薬剤師に渡す。調剤を行う薬剤師は、薬剤トレイ上の処方箋にかかれた処方内容に基づいて調剤作業を実施する。出来上がった薬は、薬剤トレイに載せられて受付に戻される。受付では、処方箋に書かれた患者を呼び出し、薬の説明や服薬時の注意を伝え、薬袋に薬を詰めて手渡しする。
【０００４】
上記処方箋の受付から患者への薬の手渡し（投薬）までの調剤作業の中では、誤って別の人の薬を渡してしまったり、薬剤トレイが小さすぎるため薬剤トレイを追加した場合にその追加した薬剤トレイが別の人に渡されてしまうなど、人為的なミスから過誤が発生する場合がある。
【０００５】
上述したような過誤を防止する方法としては、特許文献１にはＰＴＰ包装（Press Through Package）された薬剤を対象に画像認識により調剤過誤を防止する技術、特許文献２には医薬品に付されたバーコードを読み取って処方箋情報と比較することで調剤過誤を防止する技術、特許文献３には調剤結果の薬剤の総重量を計測して予め記憶された医薬品の調剤形態ごとの重量と比較することで調剤過誤を防止する技術が開示されている。
【特許文献１】特開２００４−２０２１４０号公報
【特許文献２】特開２００３−２８４７６０号公報
【特許文献３】特開２００５−６６２７２号公報
【発明の開示】
【発明が解決しようとする課題】
【０００６】
しかしながら、上述した従来からの調剤薬局システムでは、投薬する際に調剤過程の記録を確認することができないため、薬剤トレイに載せられた処方箋が調剤の過程で別のものと入れ替わった場合や、処方箋に誤った薬品量が記載されていた場合のミスを後から確認することはできなかった。更に、患者から「処方箋どおりにもらっていない」「２週間分の筈が１週間分だった」などのクレームがあった際に、調剤薬局で処方箋どおりに調薬した場合でも正しく投薬したという証拠がないため、患者との信頼関係を損なう場合があった。
【０００７】
本発明の課題は、調剤薬局において処方箋の受付から患者への投薬に係る状況を客観的に記録できるようにすることである。
【課題を解決するための手段】
【０００８】
本発明は、処方箋のデータを入力する処方箋情報入力手段と、前記入力された処方箋のデータごとに当該処方箋データに基づく投薬情報を生成する投薬情報生成手段と、前記生成された処方箋のデータごとの投薬情報を記憶する記憶手段と、を備えた調剤薬局システムであって、前記投薬情報に基づいた調剤を行う際に用いられる薬剤トレイに予め付せられた識別情報を取得する薬剤トレイ情報取得手段と、前記識別情報を取得した薬剤トレイの画像を撮影する撮影手段と、前記取得された薬剤トレイの識別情報及び当該識別情報を取得した薬剤トレイの撮影画像を前記投薬情報に対応付けて記憶するトレイ情報記憶手段と、を備えることを特徴とする。
【発明の効果】
【０００９】
本発明によれば、処方箋による調剤を行う際に用いられる薬剤トレイの画像をその処方箋に基づく投薬情報に関連付けて記録することができ、処方箋の受付から患者への投薬に係る状況を客観的に記録することができる。
【発明を実施するための最良の形態】
【００１０】
以下、実施の形態について図１〜図１２を参照して説明する。なお、この実施の形態は最も好ましい一形態を示すものであり、特にこの形態に限定するものではない。
【００１１】
図１は、調剤薬局システム１００の構成の概要を説明する概念図である。図２（ａ）は、ホストコンピュータ１０の機能的構成を模式的に示すブロック図であり、図２（ｂ）は、受付端末装置２０、調剤端末装置３０、投薬端末装置４０の機能的構成を模式的に示すブロック図である。図３（ａ）は、薬剤トレイＴ１、薬剤トレイＴ２の外観を示す概念図であり、図３（ｂ）は、担当者カードＣの外観を示す概念図である。図４は、調剤薬局システム１００の処理に係る各種データのデータ構造を模式的に示す概念図である。図５は、受付端末装置２０の動作を説明するフローチャートである。図６は、ホストコンピュータ１０が受付端末装置２０からのデータを受信して行う動作を説明するフローチャートである。図７は、調剤端末装置３０の動作を説明するフローチャートである。図８は、ホストコンピュータ１０が調剤端末装置３０からのデータを受信して行う動作を説明するフローチャートである。図９は、投薬端末装置４０の動作を説明するフローチャートである。図１０は、ホストコンピュータ１０が投薬端末装置４０からのデータを受信して行う動作を説明するフローチャートである。図１１（ａ）は、薬剤トレイＴ１に処方箋Ｐ１が載せられた状態で撮影された画像を例示する概念図であり、図１１（ｂ）は、薬剤トレイＴ２に薬剤説明書Ｐ２が載せられた状態で撮影された画像を例示する概念図である。図１２（ａ）は、薬剤トレイＴ１に処方箋Ｐ１と薬剤Ｍが載せられた状態で撮影された画像を例示する概念図であり、図１２（ｂ）は、薬剤トレイＴ１に薬袋Ｐ３と薬剤Ｍが載せられた状態で撮影された画像を例示する概念図である。
【００１２】
先ず、図１により調剤薬局システム１００の構成について説明する。調剤薬局システム１００は、図１に示すように、通信ネットワークＮを介してホストコンピュータ１０、受付端末装置２０、調剤端末装置３０、投薬端末装置４０が互いに通信可能に接続する構成である。通信ネットワークＮは、接続する情報機器が互いにデータ授受が可能である通信路を意味するものであれば、有線又は無線等の構成は限定しない。通信ネットワークＮとしては、例えば、ＬＡＮ（Local Area Network）ＷＡＮ（Wide  Area  Network）、インターネット、電話回線網、ＩＳＤＮ（Integrated  Services  Digital Network）回線網、ＡＤＳＬ（Asymmetric  Digital Subscriber Line）回線網、移動体通信網、通信衛星回線、ＣＡＴＶ回線、光通信回線等がある。
【００１３】
ホストコンピュータ１０は、例えばＷＳ（Work  Station）やＰＣ（Personal  Computer）等の情報機器であり、調剤薬局システム１００が扱う各種データの管理やホストコンピュータ１０、受付端末装置２０、調剤端末装置３０との送受信されるデータに基づいた処理を行う。
【００１４】
受付端末装置２０は、薬剤師が患者から処方箋などを受け付ける受付１などに備えられる端末であり、ＩＣタグリーダ２０ａ、撮影装置２０ｂが設けられている。ＩＣタグリーダ２０ａはＲＦＩＤ（Radio  Frequency  IDentification）システム等によりＩＣタグ（Integrated Circuit）などから情報を読み取る装置である。このため、受付端末装置２０は、ＩＣタグリーダ２０ａを介して薬剤トレイＴ１や担当者カードＣなどに設けられたＩＣタグの情報が読み取り可能な構成である。撮影装置２０ｂはデジタルカメラなどであり、撮影した画像データを受付端末装置２０に出力する装置である。このため、受付端末装置２０は、薬剤トレイＴ１を撮影した画像データを取得可能な構成である。
【００１５】
調剤端末装置３０は、薬剤師が調剤を行う調剤室２などに備えられる端末であり、前述した受付端末装置２０と同様な構成のＩＣタグリーダ３０ａが設けられている。このため、調剤端末装置３０は、例えば薬剤師が調剤時において、薬剤トレイＴ１だけでは足りずに薬剤トレイＴ２などを追加した際に、その薬剤トレイＴ２に設けられたＩＣタグの情報が読み取り可能な構成である。
【００１６】
投薬端末装置４０は、薬剤師が患者などに調剤した薬剤を手渡す投薬室３などに備えられた端末であり、前述した受付端末装置２０と同様のＩＣタグリーダ４０ａ及び撮影装置４０ｂと、電子秤４０ｃとが設けられている。電子秤４０ｃは、特に図示しない秤量皿などに載置された物の重量を計測し、その計測データを投薬端末装置４０に出力する装置である。このため、投薬端末装置４０は、薬剤トレイＴ１、Ｔ２に設けられたＩＣタグの読み取りやそのトレイを撮影した画像データの取得以外に、薬剤などが載置された薬剤トレイＴ１、Ｔ２の重量を取得可能な構成である。なお、薬剤トレイＴ１、Ｔ２のみの重量が予め判明している場合は、そのトレイ内に置かれた物の重量のみを測定することも可能である。
【００１７】
次に、図２（ａ）によりホストコンピュータ１０の構成を詳細に説明する。図２（ａ）に示すように、ホストコンピュータ１０は、制御装置１１、メモリ１２、表示装置１３、入力装置１４、通信装置１５、２次記憶装置１６を備える構成である。
【００１８】
制御装置１１は、特に図示しないＣＰＵ（Central  Processing  Unit）、ＲＯＭ（Read  Only  Memory）、内部ＲＡＭ（Random  Access  Memory）などを有し、ＲＯＭや２次記憶装置１６に格納されているシステムプログラム、各種アプリケーションプログラム又は各種データをＲＡＭやメモリ１２などの作業領域に展開して順次実行することで、ホストコンピュータ１０の各部の処理動作を統括的に制御する。なお、制御装置１１は、動作クロックなどに基づいた計時を行う計時機能を有する。
【００１９】
メモリ１２は、ＤＲＡＭ（Dynamic  RAM）などであり、制御装置１１が各種プログラムを実行する際にデータを一時的に格納するための作業領域を有する。
【００２０】
表示装置１３は、ＬＣＤ（Liquid  Crystal  Display）、ＣＲＴ（Cathode  Ray  Tube）等のディスプレイであり、制御装置１１から入力される表示データに基づいた表示画面を表示する。
【００２１】
入力装置１４は、数字キー、文字キー、各種機能キー等から構成されるキーボードや、マウス、タッチパネル等のポインティングデバイスを含んで構成され、ユーザの操作に応じた操作信号を制御装置１１へ出力する。
【００２２】
通信装置１５は、前述した通信ネットワークＮと接続する通信インターフェイス及び制御装置１１からの指示に基づき、前記通信インターフェイスを介して所定の通信プロトコルでのデータ通信を行う通信回路（いずれも図示しない）を有する。つまり、ホストコンピュータ１０は、通信装置１５に接続された通信ネットワークＮを介することで、他の情報機器とのデータ通信を行う構成である。
【００２３】
２次記憶装置１６は、制御装置１１からの指示に応じて読み書き可能な磁気的又は光学的記録媒体、若しくは、半導体等の不揮発メモリであり、後述する調剤薬局システム１００の処理に係る各種データを記憶する。具体的には、２次記憶装置１６は、ＣＤ−Ｒ、ＣＤ−Ｒ／Ｗ、ＤＶＤ−Ｒ、ＤＶＤ−Ｒ／Ｗ、ＤＶＤ＋Ｒ／Ｗ、ＤＶＤ−ＲＡＭ、ブルーレイディスク、ＭＯディスク、ＰＣカード、ＳＤカード、メモリースティック（登録商標）、スマートメディア、コンパクトフラッシュ（登録商標）、ｘＤ−Ｐｉｃｔｕｒｅカード、ＨＤＤ、及びＥＥＰＲＯＭ（Electrically  Erasable  and  Programmable  ROM）などである。
【００２４】
次に、図２（ｂ）により受付端末装置２０、調剤端末装置３０、投薬端末装置４０の構成を詳細に説明する。なお、これら端末装置は、例えばＰＣなどであって略同等の構成である。よって、以下の説明では受付端末装置２０の構成で説明する。
【００２５】
図２（ｂ）に示すように、受付端末装置２０は、制御装置２１、メモリ２２、表示装置２３、入力装置２４、通信装置２５、記憶装置２６、インターフェイス２７を備える構成である。
【００２６】
制御装置２１は、特に図示しないＣＰＵ、ＲＯＭ、内部ＲＡＭなどを有し、ＲＯＭやメモリ２２に格納されているシステムプログラム、各種アプリケーションプログラム又は各種データをＲＡＭやメモリ２２などの作業領域に展開して順次実行することで、受付端末装置２０の各部の動作処理を統括的に制御する。なお、制御装置２１は、動作クロックなどに基づいた計時を行う計時機能を有する。
【００２７】
メモリ２２はＤＲＡＭなどであり、制御装置２１が各種プログラムを実行する際にデータを一時的に格納するための作業領域を有する。
【００２８】
表示装置２３は、ＬＣＤ、ＣＲＴ等のディスプレイであり、制御装置２１から入力される表示データに基づいた表示画面を表示する。
【００２９】
入力装置２４は、数字キー、文字キー、各種機能キー等から構成されるキーボードや、マウス、タッチパネル等のポインティングデバイスを含んで構成され、ユーザの操作に応じた操作信号を制御装置２１へ出力する。
【００３０】
通信装置２５は、前述した通信ネットワークＮと接続する通信インターフェイス及び制御装置２１からの指示に基づき、前記通信インターフェイスを介して所定の通信プロトコルでのデータ通信を行う通信回路（いずれも図示しない）を有する。つまり、受付端末装置２０は、通信装置２５に接続された通信ネットワークＮを介することで、他の情報機器とのデータ通信を行う構成である。
【００３１】
記憶装置２６は、制御装置２１からの指示に応じて読み書き可能な磁気的又は光学的記録媒体、若しくは、半導体等の不揮発メモリである。具体的には、記憶装置２６は、ＣＤ−Ｒ、ＣＤ−Ｒ／Ｗ、ＤＶＤ−Ｒ、ＤＶＤ−Ｒ／Ｗ、ＤＶＤ＋Ｒ／Ｗ、ＤＶＤ−ＲＡＭ、ブルーレイディスク、ＭＯディスク、ＰＣカード、ＳＤカード、メモリースティック（登録商標）、スマートメディア、コンパクトフラッシュ（登録商標）、ｘＤ−Ｐｉｃｔｕｒｅカード、ＨＤＤ、及びＥＥＰＲＯＭなどである。
【００３２】
インターフェイス２７は、外部機器と接続してシリアル通信又はパラレル通信を行うインターフェイスであり、前述したＩＣタグリーダ２０ａや撮影装置２０ｂと接続してデータ通信を行う。具体的には、インターフェイス２７は、ＵＳＢ（Universal  Serial  Bus）、ＩＥＥＥ１３９４（Institute  of  Electrical  and  Electronic  Engineers  1394）、ＳＣＳＩ（Small  Computer  System  Interface）、ＡＴＡＰＩ（AT  Attachment  Packet  Interface）等の所定の規格に準拠したインターフェイスである。
【００３３】
次に、図３（ａ）により薬剤トレイＴ１、Ｔ２について説明する。図３（ａ）に示すように、薬剤トレイＴ１、Ｔ２は、調剤などを行う際に用いられるものであって、長方形の浅い皿状に形成された収納部Ｔ１０と、この収納部Ｔ１０と一体的に形成された鍔状の標識部Ｔ２０とを有する構成である。収納部Ｔ１０は、薬剤師が患者から処方箋を受け付けてからその処方箋どおりの調剤を行って投薬するまで間の業務処理で必要なものが収納される。具体的には、患者から預かった処方箋や健康保険証、調剤した薬、薬袋、薬剤説明書等が収納される。
【００３４】
標識部Ｔ２０は、識別コード表示部Ｔ２１、ＩＣタグＴ２２を有する構成である。識別コード表示部Ｔ２１は、他の薬剤トレイと区別するための識別コード等が印刷あるいは刻印，シール貼付等の手段によって表示されており、薬剤師等のユーザが外部から目視しただけで識別コードの認識が可能となっている。ＩＣタグＴ２２は、標識部Ｔ２０に内蔵され、前述したＩＣタグリーダ２０ａ、３０ａ、４０ａから読み取り可能に識別コードを記憶する。
【００３５】
このため、薬剤トレイＴ１、Ｔ２を撮影した場合は、収納部Ｔ１０に収められた物と、識別コード表示部Ｔ２１に表示された識別コードとを含む撮影画像を取得することができる。また、薬剤トレイＴ１、Ｔ２の識別コードは、ＩＣタグＴ２２をＩＣタグリーダ２０ａ、３０ａ、４０ａに近づけて通信させることで入力することができる。
【００３６】
次に、図３（ｂ）により担当者カードＣについて説明する。図３（ｂ）に示すように、担当者カードＣは、保有者の身分などが印刷された標識部Ｃ１と、当該保有者に関する身分情報をＩＣタグリーダ２０ａ、３０ａ、４０ａから読み取り可能に格納するＩＣタグＣ２と、を有する身分証である。
【００３７】
担当者カードＣの保有者である薬剤師などは、この担当者カードＣをＩＣタグリーダ２０ａ、３０ａ、４０ａに近づけてＩＣタグＣ２と通信させることで、各種端末への身分情報の入力を容易に行うことができる。例えば、担当者カードＣを用いることで、各種端末でのユーザ認証などを容易に行うことができる。
【００３８】
次に、図４により２次記憶装置１６に記憶されて、ホストコンピュータ１０で管理される調剤薬局システム１００の処理に係る各種データについて説明する。図４に示すように、調剤薬局システム１００の処理に係る各種データには、患者情報Ｄ１、投薬情報Ｄ２、画像情報Ｄ３等がある。
【００３９】
患者情報Ｄ１は、調剤薬局システム１００が扱う患者の詳細に関する情報であり、患者ごとの情報が格納された患者管理構造体Ｄ１１、Ｄ１２、Ｄ１３…を有する。患者管理構造体Ｄ１１、Ｄ１２、Ｄ１３は、患者を識別するための「患者コード」、「患者氏名」、「生年月日」、次の患者情報への関連付けに関する情報である「次の患者管理構造体へのポインタ」、投薬情報Ｄ２への関連付けに関する情報である「来店情報へのポインタ」等を有する。
【００４０】
投薬情報Ｄ２は、患者が来店時に提出する処方箋に基づく投薬に関する情報であり、患者が提出した処方箋ごとの情報が格納された投薬情報構造体Ｄ２１、Ｄ２２…を有する。
【００４１】
投薬情報構造体Ｄ２１、Ｄ２２…は、患者の処方箋提出による受付から投薬の後の会計までの時刻に関する情報、使用した薬剤トレイに関する情報、投薬時に計測した重量に関する情報、その薬剤トレイを受付時から投薬時までに撮影した撮影画像に関する情報、担当した担当者情報、投薬した患者に関する情報、次の投薬情報への関連付けに関する情報等を有する。
【００４２】
具体的には、投薬情報構造体Ｄ２１、Ｄ２２…における患者の処方箋提出による受付から投薬の後の会計までの時刻に関する情報としては、受付に関する時刻を格納する「来店年月日」、「来店時刻」、「受付終了時刻」、投薬に関する時刻を格納する「投薬開始時刻」、「投薬終了時刻」、会計終了時の時刻を格納する「退店時刻」等がある。また、使用した薬剤トレイに関する情報としては、受付時に最初に設定した薬剤トレイに関する情報である「トレイＩＤ」、使用中に追加した薬剤トレイに関する情報である「追加トレイＩＤ」等がある。
【００４３】
また、薬剤トレイを受付時から投薬時までに撮影した撮影画像に関する情報としては、画像情報Ｄ３のいずれかの画像データへの関連付けに関する情報であって、来店時の画像データへの情報である「来店時画像データへのポインタ」、調剤時に併服薬として追加した際の画像データへの情報である「併服薬画像データへのポインタ」、投薬時の画像データへの情報である「投薬時画像データへのポインタ」等がある。また、担当した担当者情報としては、受付時の担当者に関する情報である「受付担当者」、調剤時の担当者に関する情報である「調剤担当者」、投薬時の担当者に関する情報である「投薬担当者」等がある。
【００４４】
画像情報Ｄ３は、患者が来店時に提出する処方箋に基づいた投薬に関して、患者の処方箋提出による受付時、調剤時、投薬時などの順で使用された薬剤トレイを撮影した画像データ群であり、来店時画像データＤ３１、併服薬画像データＤ３２、投薬時画像データＤ３３、投薬時画像データＤ３４を有する。この来店時画像データＤ３１、併服薬画像データＤ３２、投薬時画像データＤ３３、投薬時画像データＤ３４は、前述した投薬情報構造体Ｄ２１、Ｄ２２…などに関連付けられており、投薬情報構造体Ｄ２１、Ｄ２２…に格納された情報に基づいて参照可能なデータファイルである。
【００４５】
なお、特に図示しないが、各種データには、薬剤に関する情報や会計に関する情報などもあり、患者情報Ｄ１や投薬情報Ｄ２などと関連付けられている。
【００４６】
次に、調剤薬局システム１００における業務処理であって、受付端末装置２０とホストコンピュータ１０とが互いに通信して行う受付処理について説明する。
先ず、図５により受付端末装置２０側で制御装置２１が制御して行う処理について説明する。
【００４７】
図５に示すように、制御装置２１は、患者が持参した処方箋に基づいた情報、つまり、患者名、処方薬剤、処方分量等の入力を入力装置２４から受け付け（ステップＡ１１）、その入力された処方箋情報をホストコンピュータ１０へ送信するなどのデータ通信を行う（ステップＡ１２）。
【００４８】
次いで、ＩＣタグリーダ２０ａで担当者カードＣが読み取られて受付を担当する担当者の情報が取得され（ステップＡ１３）、
患者が持参した処方箋や健康保険証などを収納し、受付から投薬まで使用する薬剤トレイＴ１のＩＣタグＴ２２がＩＣタグリーダ２０ａで読み取られて薬剤トレイ情報（薬剤トレイの識別コード）が取得され（ステップＡ１４）、その読み取られたデータの送信やそれに対する返信などの通信がホストコンピュータ１０との間で行われる（ステップＡ１５）。
【００４９】
次いで、ステップＡ１５におけるホストコンピュータ１０からの返信にエラー情報、つまり、読み取られた担当者情報に基づく認証失敗や読み取られた薬剤トレイ情報から識別された薬剤トレイが他の患者の処理で使用中であるなどの情報があるか否かが判定され（ステップＡ１６）、エラー情報がある場合は、ステップＡ１４に戻る。
【００５０】
ステップＡ１６においてエラー情報がない場合は、ステップＡ１５で薬剤トレイ情報が読み取られた薬剤トレイの画像が撮影装置２０ｂで撮影され（ステップＡ１７）、この撮影された画像データをホストコンピュータ１０へ送信するなどのデータ通信が行われ（ステップＡ１８）、入力装置１４の操作入力などから薬剤トレイを追加する指示があるか否かが判定される（ステップＡ１９）。
【００５１】
このステップＡ１７における薬剤トレイの撮影では、図１１（ａ）に示すように、受付時に患者から預かった処方箋Ｐ１が薬剤トレイＴ１の収納部Ｔ１０に収められた状態で、識別コード表示部Ｔ２１に印刷された識別コードである「１００−１２３４」を含む画像が撮影される。なお、ステップＡ１７における撮影では、受付時に患者から預かった処方箋以外に、健康保険証等も含めて撮影してもよい。
【００５２】
ステップＡ１９において、薬剤トレイを追加する指示があると判定された場合はステップＡ１４へ戻って、追加の薬剤トレイの識別コードと撮影画像を取得する処理が行われる。
【００５３】
この追加の薬剤トレイの撮影では、図１１（ｂ）に示すように、薬剤トレイＴ１の収納部Ｔ１０だけでは収まりきらなかった薬剤説明書Ｐ２が薬剤トレイＴ２の収納部Ｔ１０に収められた状態で、識別コード表示部Ｔ２１に印刷された識別コードである「１２０−５４２１」を含む画像が撮影される。
【００５４】
ステップＡ１９において、薬剤トレイを追加する指示がないと判定された場合は、ステップＡ１１で入力された処方箋情報、ステップＡ１３で読み取られた担当者情報、ステップＡ１４で読み取られた薬剤トレイ情報、ステップＡ１７で撮影された薬剤トレイの画像等の受付情報が表示装置２３に画面表示される（ステップＡ２０）。
【００５５】
次いで、入力装置１４の操作入力などから受付確認の終了の有無が受け付けられて、受付確認が終了したか否かの判定が行われ（ステップＡ２１）、受付確認が終了しなかった場合、つまり、キャンセルなどの指示が入力装置１４から入力された場合はステップＡ１１へ戻り、確認が終了した場合は受付確認が終了したことを示すデータ通信が行われて（ステップＡ２２）、終了する。
【００５６】
次に、図６により調剤薬局システム１００における受付処理時にホストコンピュータ１０側で制御装置１１が制御して行う処理について説明する。図６に示すように、制御装置１１は、受付端末装置２０から送信される入力された処方箋情報を受信するなどのデータ受信を行い（ステップＢ１１）、その受信した処方箋情報に含まれる患者名などの情報に基づいて２次記憶装置１６に格納される患者情報Ｄ１から該当する患者の検索、つまり、該当する患者管理構造体の検索を行う（ステップＢ１２）。なお、ステップＢ１２で該当する患者管理構造体がない場合は、受信された処方箋情報に含まれる患者に関する情報から新規の患者管理構造体が作成される。
【００５７】
次いで、該当する患者に対応付けた投薬情報Ｄ２が受信された処方箋情報に基づいて作成される（ステップＢ１３）。具体的には、該当する患者管理構造体に関連付けられた投薬情報構造体が新規に作成される。この新規に作成される投薬構造体には、受信した日時が前述した受付開始を示す「来店年月日」、「来店時刻」として格納される。
【００５８】
次いで、受付端末装置２０から送信される読み取られた担当者情報や薬剤トレイ情報が受信され（ステップＢ１４）、その薬剤トレイ情報に基づいた投薬情報Ｄ２の検索が行われて、その薬剤トレイ情報に係る薬剤トレイが他の患者の処理で使用中であるか否かが判定される（ステップＢ１５）。具体的には、薬剤トレイ情報である薬剤トレイの識別コードと一致する投薬情報構造体が順次検索され、該当する投薬情報構造体において、受付に関する時刻から会計終了までの時刻が全て格納されているか否かを判定して行われる。つまり、他の患者の処理で使用されている場合は、投薬情報構造体に受付に関する時刻のみが格納されており、会計終了の時刻が格納されていないことから、使用中であると判定することができる。
【００５９】
ステップＢ１５において、薬剤トレイが使用中であると判定された場合はその旨を示すエラー情報が受付端末装置２０に出力（ステップＢ１６）されてステップＢ１４に戻り、薬剤トレイが使用中でないと判定された場合は受付端末装置２０から送信される撮影された薬剤トレイの画像が受信される（ステップＢ１７）。
【００６０】
次いで、受付端末装置２０で追加の薬剤トレイなどとして、ＩＣタグリーダ２０ａで読み取られた薬剤トレイ情報の受信の有無が判定され（ステップＢ１８）、追加の薬剤トレイに関する薬剤トレイ情報の受信がある場合はステップＢ１４に戻り、受信がない場合は受付端末装置２０から受付確認が終了したことを示すデータ受信の有無が判定される（ステップＢ１９）。
【００６１】
ステップＢ１９において、受付確認が終了したことを示すデータ受信がない場合はステップＢ１４へもどり、受信確認が終了したことを示すデータ受信がある場合は、ステップＢ１７で受信された薬剤トレイ画像がステップＢ１３で作成された投薬情報Ｄ２、つまり、新規に作成された投薬情報構造体に関連付けて２次記憶装置１６に記憶され（ステップＢ２０）、その投薬情報Ｄ２に受付終了時刻が記録されて（ステップＢ２１）、終了する。
【００６２】
次に、調剤薬局システム１００における業務処理であって、調剤端末装置３０とホストコンピュータ１０とが互いに通信して行う調剤時における処理について説明する。
先ず、図７により調剤端末装置３０側で制御装置が制御して行う処理について説明する。
【００６３】
図７に示すように、調剤端末装置３０の制御装置は、ＩＣタグリーダ３０ａによる読み取りで、担当者カードＣの担当者情報や受付時にホストコンピュータ１０で投薬情報に関連付けられて登録された薬剤トレイ、つまり、処方箋等が収納部に載せられて撮影済の薬剤トレイに関する薬剤トレイ情報を読み取り（ステップＡ３１）、その読み取ったデータをホストコンピュータ１０へ送信して、それに対する返信を受信するなどのデータ通信を行い（ステップＡ３２）、ホストコンピュータ１０から返信される読み取った薬剤トレイに関する情報を表示装置に画面表示する（ステップＡ３３）。
【００６４】
ステップＡ３３で表示装置に画面表示される薬剤トレイに関する情報とは、後述するホストコンピュータ１０の処理により送信される情報であり、その薬剤トレイに関連付けられている、受付から会計までの処理の途中である投薬情報、その投薬情報に関連付けられた患者情報や画像情報などである。つまり、その薬剤トレイを使用している業務処理に関する情報が表示され、特に業務処理で使用されていない場合には、現在使用されていない旨の情報が表示される。
【００６５】
次いで、その薬剤トレイを調剤時に追加して新規に使用する追加指示が入力装置の操作入力などからあるか否かが判定され（ステップＡ３４）、追加指示がある場合は、その薬剤トレイを追加する指示がホストコンピュータ１０へ送信される（ステップＡ３５）。
【００６６】
次いで、その薬剤トレイを使用している業務処理と当該薬剤トレイとの関連付けを削除する指示が入力装置１４の操作入力などからあるか否かが判定され（ステップＡ３６）、削除の指示がある場合は、その薬剤トレイと業務処理との関連付けを削除する指示がホストコンピュータ１０へ送信される（ステップＡ３７）。
【００６７】
次いで、入力装置の操作入力などから確認が終了したことを示す指示が受け付けられて、確認が終了したか否かの判定が行われ（ステップＡ３８）、確認が終了していない場合、つまり、キャンセルなどの指示が入力装置１４から入力された場合はステップＡ３１へ戻り、確認が終了した場合は確認終了を示すデータをホストコンピュータ１０に送信して終了する。
【００６８】
次に、図８により調剤薬局システム１００における業務処理であって、調剤時にホストコンピュータ１０側で制御装置１１が制御して行う処理について説明する。図８に示すように、制御装置１１は、調剤端末装置３０から送信される読み取られた担当者情報や薬剤トレイ情報を受信し（ステップＢ３１）、その受信時の現在時刻を取得して（ステップＢ３２）、その取得された現在時刻とステップＢ３１で受信した薬剤トレイ情報とに基づいて、その薬剤トレイを使用している業務処理に関する情報である、該当する投薬情報Ｄ２を検索する（ステップＢ３３）。
【００６９】
このステップＢ３３における投薬情報Ｄ２の検索は、薬剤トレイ情報である薬剤トレイの識別コードと一致する投薬情報構造体が順次検索され、該当する投薬情報構造体の時刻に関する情報と現在時刻とが比較され、「受付終了時刻」以降であり、「投薬開始時刻」が格納されていない、つまり、識別コードと一致する投薬情報構造体のうち、受付終了後であって投薬前のものが薬剤トレイを使用している業務処理に関する情報として抽出される。
【００７０】
次いで、上述した検索に該当する投薬情報Ｄ２があるか否かが判定され（ステップＢ３４）、ある場合は該当する投薬情報Ｄ２に格納されている各種データ、当該投薬情報Ｄ２に関連づけされた患者情報Ｄ１や画像情報Ｄ３が調剤端末装置３０へ送信される（ステップＢ３５）。なお、ステップＢ３４において、該当する投薬情報Ｄ２がないと判定された場合は、現在業務処理で使用されていない薬剤トレイである旨の情報が調剤端末装置３０へ送信される（ステップＢ３６）。
【００７１】
次いで、調剤端末装置３０からの指示、つまり、前述したその識別コードが読み取られた薬剤トレイの業務処理への追加又は削除等の指示が受信され（ステップＢ３７）、その指示が薬剤トレイの追加指示であるか否かが判定される（ステップＢ３８）。
【００７２】
ステップＢ３８において、薬剤トレイの追加指示である場合は、ステップＢ３４と同様に現在使用されていない薬剤トレイであるか否かが判定され（ステップＢ３９）、現在使用されていない薬剤トレイである場合はステップＢ３３で検索された該当する投薬情報Ｄ２における投薬情報構造体の「追加トレイＩＤ」にステップＢ３１で取得された薬剤トレイ情報である識別コードが記録される（ステップＢ４０）。なお、ステップＢ３９において、現在使用されている薬剤トレイである場合はその旨のエラー情報が調剤端末装置３０に出力され（ステップＢ４１）、ステップＢ３７に戻る。
【００７３】
ステップＢ３８において薬剤トレイの追加指示でない場合、若しくは、ステップＢ４０に次いで、ステップＢ３７の指示が薬剤トレイの削除指示であるか否かが判定され（ステップＢ４２）、削除指示である場合は、ステップＢ３１で取得された薬剤トレイ情報である識別コードがステップＢ３３で検索された該当する投薬情報Ｄ２における投薬情報構造体の「トレイＩＤ」に記録されているか、つまり、受付時に登録された薬剤トレイで有るか否かが判定される（ステップＢ４３）。
【００７４】
ステップＢ４３において、受付時に登録された薬剤トレイであり、単に業務処理中に追加された薬剤トレイではない場合は、業務処理から削除できない旨のエラー情報が送信されて（ステップＢ４１）、ステップＢ３７に戻る。つまり、業務処理中に使用する薬剤トレイの削除は、途中で追加された薬剤トレイのみ行う構成である。
【００７５】
ステップＢ４３において、受付時に登録された薬剤トレイでない場合、つまり、業務処理の途中で追加された薬剤トレイの場合は、ステップＢ３３で検索された該当する投薬情報Ｄ２における投薬情報構造体の「追加トレイＩＤ」の記録が削除され（ステップＢ４４）、調剤端末装置３０から確認終了を示すデータ受信の有無が判定され（ステップＢ４５）、受信されない場合はステップＢ３１へ戻り、受信された場合はそのまま終了する。
【００７６】
次に、調剤薬局システム１００における業務処理であって、投薬端末装置４０とホストコンピュータ１０とが互いに通信して行う投薬時における処理について説明する。
先ず、図９により投薬端末装置４０側で制御装置が制御して行う処理について説明する。
【００７７】
図９に示すように、投薬端末装置４０の制御装置は、ＩＣタグリーダ４０ａによる読み取りで、担当者カードＣの担当者情報や受付時にホストコンピュータ１０で投薬情報に関連付けられて登録された薬剤トレイの薬剤トレイ情報を読み取り（ステップＡ５１）、その読み取ったデータをホストコンピュータ１０へ送信して、それに対する返信を受信するなどのデータ通信を行い（ステップＡ５２）、ホストコンピュータ１０からの返信にエラー情報があるか否かを判定する（ステップＡ５３）。
【００７８】
ステップＡ５３において、エラー情報がある場合はステップＡ５１へ戻り、エラー情報がない場合はホストコンピュータ１０から返信されるステップＡ５１で読み取った薬剤トレイに関する情報が表示装置の表示画面に表示される。この薬剤トレイに関する情報とは、後述するホストコンピュータ１０の処理により返信される、その薬剤トレイに関連付けられている投薬情報、当該投薬情報に関連付けられている患者情報や画像情報などである。
【００７９】
次いで、薬剤などが収納部に載置された状態での薬剤トレイの重量が電子秤４０ｃで測定され（ステップＡ５５）、その測定された重量をホストコンピュータ１０へ送信して、それに対する返信を受信するなどのデータ通信が行われ（ステップＡ５６）、そのホストコンピュータ１０から返信されたデータに基づいた薬剤の重量に関する情報が表示装置の表示画面に表示される（ステップＡ５７）。
【００８０】
次いで、患者への投薬を開始するか否かの確認が入力装置の操作入力などから行われたか否かが判定され（ステップＡ５８）、確認が行われない場合、つまり、キャンセルなどの指示が入力装置から入力された場合はホストコンピュータ１０へ処理をキャンセルするなどのエラー情報が出力されて（ステップＡ５９）、ステップＡ５１へ戻る。
【００８１】
ステップＡ５８において、確認が行われた場合は、ホストコンピュータ１０へ投薬開始が通知され（ステップＡ６０）、投薬時における薬剤トレイが撮影装置４０ｂで撮影され（ステップＡ６１）、その撮影された画像データがホストコンピュータ１０へ送信される（ステップＡ６２）。
【００８２】
このステップＡ６１における薬剤トレイの撮影では、図１２（ａ）に示すように、処方箋Ｐ１と薬剤Ｍが収納部Ｔ１０に収められた状態で、識別コード表示部Ｔ２１に印刷された識別コードである「１００−１２３４」を含む画像が撮影される。また、図１２（ｂ）に示すように、薬剤Ｍが収納された薬剤説明書Ｐ２が収納部Ｔ１０に収められた状態で、識別コード表示部Ｔ２１に印刷された識別コードを含む画像が撮影されてもよい。好適には、図１２（ａ）に示す正確に調剤が行われた状態と図１２（ｂ）に示すその正確に調剤が行われた薬剤が薬袋に収められた状態の二つの状態を撮影して記録する。
【００８３】
次いで、前述したステップＡ５２で取得された薬剤トレイに関連付けられている投薬情報、当該投薬情報に関連付けられている患者情報等に基づいた会計処理が行われ（ステップＡ６３）、その会計処理の後に会計処理が終了したことを示す終了通知がホストコンピュータ１０へ送信されて（ステップＡ６４）、終了する。
【００８４】
次に、図１０により調剤薬局システム１００における投薬時にホストコンピュータ１０側で制御装置１１が制御して行う処理について説明する。図１０に示すように、制御装置１１は、投薬端末装置４０から送信される読み取られた担当者情報や薬剤トレイ情報を受信し（ステップＢ５１）、前述した様に受信した薬剤トレイ情報に基づいて、その薬剤トレイを使用している業務処理に関する情報である投薬情報Ｄ２を検索する（ステップＢ５２）。
【００８５】
次いで、上述した検索に該当する投薬情報Ｄ２があるか否かが判定され（ステップＢ５３）、無い場合は該当する投薬情報Ｄ２が無いことを示すエラー情報が投薬端末装置４０に送信される（ステップＢ５４）。
【００８６】
ステップＢ５３において、該当する投薬情報Ｄ２がある場合は、その該当する投薬情報Ｄ２と、当該投薬情報Ｄ２に関連付けられた患者情報Ｄ１、画像情報Ｄ３が投薬端末装置４０に送信され（ステップＢ５５）、投薬端末装置４０で測定された重量に関する情報が受信され（ステップＢ５６）、該当する投薬情報Ｄ２に関する患者について、以前の投薬情報が取得される（ステップＢ５７）。この以前の投薬情報の取得は、該当する投薬情報Ｄ２の患者コードを元に時刻情報が直近の投薬情報が検索されて行われる。
【００８７】
次いで、ステップＢ５７で取得された以前の投薬情報における投薬重量とステップＢ５６で受信された重量とが比較されて、略一致するか否かが判定され（ステップＢ５８）、略一致する場合は前回の投薬と重量が一致する旨のデータが投薬端末装置４０に送信され（ステップＢ５９）、一致しない場合は前回の投薬と重量が違う旨のデータが送信される（ステップＢ６０）。
【００８８】
次いで、前述した投薬端末装置４０側のステップＡ５９に関するエラー情報の受信があるか否かが判定され（ステップＢ６１）、ある場合はステップＢ５１へ戻って処理をキャンセルする。
【００８９】
ステップＢ６１において、エラー情報の受信がない場合は、投薬開始が受信され（ステップＢ６２）、ステップＢ５１で受信された担当者情報に基づく担当者を投薬担当者、ステップＢ５６で受信された重量を投薬重量として該当する投薬情報Ｄ２に記録され（ステップＢ６３）、投薬端末装置４０から送信される撮影された画像データが受信されて（ステップＢ６４）、その該当する投薬情報Ｄ２に受信された撮影画像データが関連付けられるとともに、投薬終了時刻が記録される（ステップＢ６５）。
【００９０】
次いで、投薬端末装置４０から会計が終了したことを示す終了通知が受信されるまで待機され（ステップＢ６６）、終了通知の受信の後に該当する投薬情報Ｄ２に現在時刻が退店時刻として記録されて（ステップＢ６７）、終了する。
【００９１】
以上のように、調剤薬局システム１００は、端末側で入力された処方箋のデータごとにホストコンピュータ１０で投薬情報が生成されて、その生成された処方箋のデータごとの投薬情報をホストコンピュータ１０の２次記憶装置１６に記憶するシステムであって、調剤を行う際に用いられる薬剤トレイに予め付せられた識別情報をＩＣタグリーダで取得し、その識別情報を取得した薬剤トレイを撮影装置で撮影して、その撮影画像と識別情報を投薬情報に対応付けて２次記憶装置１６に記憶する構成である。
【００９２】
このため、調剤薬局システム１００は、薬剤師などが処方箋のデータを元に調剤して投薬する際に用いられる薬剤トレイを撮影した撮影画像を投薬情報に対応付けて記録することができ、調剤や投薬時の状況を客観的に記録することができる。
【００９３】
また、調剤薬局システム１００は、薬剤トレイを撮影した撮影画像を投薬情報に対応付けて記録する際に、その時の現在時刻を記録する構成である。このため、調剤薬局システム１００は、調剤や投薬時において薬剤トレイの画像を撮影した際の時刻も記録することができ、時間的な状況を客観的に記録することができる。
【００９４】
また、調剤薬局システム１００は、電子秤４０ｃで調剤を行う際に用いられる薬剤トレイＴ１や薬剤トレイＴ２上に薬剤が載置された状態での重量を計測し、その重量を投薬情報に対応付けて記憶する構成である。このため、調剤薬局システム１００は、投薬時などに患者に渡す際の薬剤の重量を記録することができる。
【００９５】
また、調剤薬局システム１００は、ＩＣタグリーダで担当者カードＣのＩＣタグＣ２に格納された担当者情報を読み取って、投薬情報に対応付けて記憶する構成である。このため、調剤薬局システム１００は、その投薬情報に関して、受付、調剤、投薬などを担当した担当者について記録することができる。
【００９６】
また、調剤薬局システム１００は、調剤を行う際に用いられる薬剤トレイの識別情報をＩＣタグリーダなどで読み取って、その識別情報に関連付けられた投薬情報を指定し、その投薬情報に対応付けて２次記憶装置１６などに記憶された薬剤トレイを撮影した撮影画像を表示装置の表示画面に表示することができる。このため、調剤薬局システム１００は、投薬時などに確認する際に、受付から投薬まで使用した薬剤トレイをＩＣタグリーダにかざすだけで、その投薬までの薬剤トレイの状況を画像で確認することができる。
【００９７】
なお、本実施の形態における記述は、一例を示すものであり、これに限定するものではない。本実施の形態における構成及び動作に関しては、要旨を逸脱しない範囲で適宜変更が可能である。
【図面の簡単な説明】
【００９８】
【図１】調剤薬局システム１００の構成の概要を説明する概念図である。
【図２】（ａ）は、ホストコンピュータ１０の機能的構成を模式的に示すブロック図であり、（ｂ）は、受付端末装置２０、調剤端末装置３０、投薬端末装置４０の機能的構成を模式的に示すブロック図である。
【図３】（ａ）は、薬剤トレイＴ１、薬剤トレイＴ２の外観を示す概念図であり、（ｂ）は、担当者カードＣの外観を示す概念図である。
【図４】調剤薬局システム１００の処理に係る各種データのデータ構造を模式的に示す概念図である。
【図５】受付端末装置２０の動作を説明するフローチャートである。
【図６】ホストコンピュータ１０が受付端末装置２０からのデータを受信して行う動作を説明するフローチャートである。
【図７】調剤端末装置３０の動作を説明するフローチャートである。
【図８】ホストコンピュータ１０が調剤端末装置３０からのデータを受信して行う動作を説明するフローチャートである。
【図９】投薬端末装置４０の動作を説明するフローチャートである。
【図１０】ホストコンピュータ１０が投薬端末装置４０からのデータを受信して行う動作を説明するフローチャートである。
【図１１】（ａ）は、薬剤トレイＴ１に処方箋Ｐ１が載せられた状態で撮影された画像を例示する概念図であり、（ｂ）は、薬剤トレイＴ２に薬剤説明書Ｐ２が載せられた状態で撮影された画像を例示する概念図である。
【図１２】（ａ）は、薬剤トレイＴ１に処方箋Ｐ１と薬剤Ｍが載せられた状態で撮影された画像を例示する概念図であり、（ｂ）は、薬剤トレイＴ１に薬袋Ｐ３と薬剤Ｍが載せられた状態で撮影された画像を例示する概念図である。
【符号の説明】
【００９９】
１００  調剤薬局システム
１  受付
２  調剤室
３  投薬室
１０  ホストコンピュータ
１１  制御装置
１２  メモリ
１３  表示装置
１４  入力装置
１５  通信装置
１６  ２次記憶装置
２０  受付端末装置
２０ａ、３０ａ、４０ａ  ＩＣタグリーダ
２０ｂ、４０ｂ  撮影装置
３０  調剤端末装置
４０  投薬端末装置
４０ｃ  電子秤
Ｎ  通信ネットワーク
Ｃ  担当者カード
Ｃ１  標識部
Ｃ２  ＩＣタグ
Ｄ１  患者情報
Ｄ２  投薬情報
Ｄ３  画像情報
Ｐ１  処方箋
Ｐ２  薬剤説明書
Ｐ３  薬袋
Ｍ  薬剤
Ｔ１、Ｔ２  薬剤トレイ
Ｔ１０  収納部
Ｔ２０  標識部
Ｔ２１  識別コード表示部
Ｔ２２  ＩＣタグ
【図１】
2008065596.tif 000003
【図２】
2008065596.tif 000004
【図３】
2008065596.tif 000005
【図４】
2008065596.tif 000006
【図５】
2008065596.tif 000007
【図６】
2008065596.tif 000008
【図７】
2008065596.tif 000009
【図８】
2008065596.tif 000010
【図９】
2008065596.tif 000011
【図１０】
2008065596.tif 000012
【図１１】
2008065596.tif 000013
【図１２】
2008065596.tif 000014